(57)【要約】【課題】反発性能・ボールコントロールに優れる、ツーピース型のゴルフクラブヘッドを提供する。【解決手段】ヘッド本体１は、チタン材からなる鋳造部品であり、フェイス面側が開口し且つフェイス面側の開口から連続してクラウン面３に広がる切り欠きが形成されている。フェイス板２は、チタン材からなる鍛造圧延部品であり、ヘッド本体１の開口に合致するフェイス面部分２ａ及び切り欠きに合致する延伸部分２ｂが一体的に形成され、ヘッド本体に組み合わされて溶接されている。このフェイス面部分２ａの最大肉厚はヘッド本体１の肉厚より厚くなっている。また、ヘッド本体のクラウン面のフェイス面側の縁部の最大幅（Ｓ１）と切り欠きのフェイス面との境界の幅（Ｓ２）との比（Ｓ２／Ｓ１）が０．４以上であり、ヘッド本体のクラウン面の最大深さ（Ｌ１）と切り欠きの深さ（Ｌ２）との比（Ｌ２／Ｌ１）が０．２以上であり、ヘッド本体のクラウン面の最大幅（Ｐ１）と切り欠きの深さ方向中央付近の幅（Ｐ２）との比（Ｐ２／Ｐ１）が０．３以上である。【選択図】      図２
2004357978.tif 000002
【特許請求の範囲】
【請求項１】
ヘッド本体とフェイス板とが別個に形成され一体化してなる中空のゴルフクラブヘッドであって、
前記ヘッド本体は、チタン材からなる鋳造部品であり、フェイス面側が開口し且つ前記フェイス面側の開口から連続してクラウン面に広がる切り欠きが形成されており、
前記フェイス板は、チタン材からなる鍛造圧延部品であり、前記ヘッド本体の開口に合致するフェイス面部分及び前記切り欠きに合致する延伸部分が一体的に形成され、前記ヘッド本体に組み合わされて溶接されており、
前記フェイス面部分の最大肉厚は前記ヘッド本体のクラウン面の肉厚より厚く、
前記ヘッド本体のクラウン面のフェイス面側の縁部の最大幅（Ｓ１）と前記切り欠きのフェイス面との境界の幅（Ｓ２）との比（Ｓ２／Ｓ１）が０．４以上であり、
前記ヘッド本体のクラウン面の最大深さ（Ｌ１）と前記切り欠きの深さ（Ｌ２）との比（Ｌ２／Ｌ１）が０．２以上であり、
前記ヘッド本体のクラウン面の最大幅（Ｐ１）と前記切り欠きの深さ方向中央付近の幅（Ｐ２）との比（Ｐ２／Ｐ１）が０．３以上である、ゴルフクラブヘッド。
【発明の詳細な説明】
【０００１】
【発明の属する技術分野】
本発明は中空のゴルフクラブのヘッド、特に、ヘッド本体とフェイス部とを別途に形成し接合するツーピース型のゴルフクラブヘッドに関する。
【０００２】
【従来の技術】
ゴルフクラブヘッドに関しては、ゴルフボールの飛距離を伸ばすために様々な工夫が提案されている。特に、ヘッドに対するゴルフボールのインパクト時に、ゴルフボールが当接するフェイス面については様々な工夫が提案されている。例えば、高強度の材料（チタン合金等）を用いてフェイス面を肉薄に形成して耐久性・反発性能を向上させる技術や、さらにフェイス面の一部に局部的に加熱処理を施す技術（例えば、特許文献１参照）等が挙げられる。
【０００３】
さらに、フェイス面に関する工夫のみではなく、他の部分についても工夫を施すことが提案されている。例えば、ヘッド本体のクラウン面のフェイス側に複数のスリットを形成してインパクト時にヘッド本体も変形するゴルフクラブヘッド（特許文献２参照）や、ヘッド本体のクラウン面若しくはソール面の剛性を変化させたゴルフクラブヘッド（特許文献３）なども提案されている。
【０００４】
【特許文献１】
特開２００３−３３４５２号公報
【０００５】
【特許文献２】
特開平６−１９００８８号公報
【０００６】
【特許文献３】
特開２００２−１３６６２５号公報
【０００７】
【発明が解決しようとする課題】
上述のように、フェイス面乃至ゴルフクラブヘッドの性能を向上させるために様々な技術が提案されている。しかし、旧来の提案はいわゆるツーピース型のゴルフクラブヘッドの欠点を克服するものではない。
即ち、ツーピース型のゴルフクラブヘッドを形成する場合、２つのパーツを溶接するため溶接部分に一定の肉厚が必要となり、また溶接時の変形等により、この溶接部分の重量化・溶接部分の剛性の変化等が生じる。このため、この溶接部分がゴルフクラブヘッドの性能に悪影響を与えている。特に、一般にツーピース型のゴルフクラブヘッドは、フェイス板をヘッド本体と別個に形成し溶接して一体化するため、フェイス板の周縁に溶接部分が集中する。従って、最もゴルフボールインパクト時に重要な部分であるフェイス板の近傍に、性能に悪影響を及ぼしかねない溶接部分が集中してしまう。
【０００８】
本発明の課題は、反発性能・ボールコントロールに優れる、ツーピース型のゴルフクラブヘッドを提供することにある。
【０００９】
【課題を解決するための手段】
本発明のゴルフクラブヘッドは、ヘッド本体とフェイス板とが別個に形成され一体化してなる中空のゴルフクラブヘッドである。ヘッド本体は、チタン材からなる鋳造部品であり、フェイス面側が開口し且つフェイス面側の開口から連続してクラウン側面に広がる切り欠きが形成されている。フェイス板は、チタン材からなる鍛造圧延部品であり、ヘッド本体の開口に合致するフェイス面部分及び切り欠きに合致する延伸部分が一体的に形成され、ヘッド本体に組み合わされて溶接されている。このフェイス面部分の最大肉厚はヘッド本体のクラウン面の肉厚より厚くなっている。
【００１０】
また、▲１▼ヘッド本体のクラウン面のフェイス面側の縁部の最大幅（Ｓ１）と切り欠きのフェイス面との境界の幅（Ｓ２）との比（Ｓ２／Ｓ１）が０．４以上であり、▲２▼ヘッド本体のクラウン面の最大深さ（Ｌ１）と切り欠きの深さ（Ｌ２）との比（Ｌ２／Ｌ１）が０．２以上であり、▲３▼ヘッド本体のクラウン面の最大幅（Ｐ１）と切り欠きの深さ方向中央付近の幅（Ｐ２）との比（Ｐ２／Ｐ１）が０．３以上である。
【００１１】
ここでは、各▲１▼〜▲３▼の比はできるだけ大きく設定するのが好ましい。もっとも、フェイス板の鍛造圧延加工上、▲１▼の比（Ｓ２／Ｓ１）は０．５〜０．７程度に設定するのが好ましい。また、▲２▼の比（Ｌ２／Ｌ１）は少なくとも０．５以上とするのが好ましい。
【００１２】
【発明の実施の形態】
以下、本発明の第１実施形態を示す。
図１に示すように、本発明の１つの実施形態を採用したゴルフクラブヘッドは、ヘッド本体１と、ゴルフボールが直接当接するフェイス板２とを溶接して形成されている。
【００１３】
ヘッド本体１は、ヘッドの上面を形成するクラウン面３と、ヘッドの底面を形成するソール面４と、クラウン面３及びソール面４とを連結しトウ側５ａ〜バック側５ｂ〜ヒール側５ｃまで延びるサイド面５と、シャフトが挿入されて連結されるホーゼル部６とを有する。このヘッド本体１は中空の部材であり、チタン材（例えば、Ｔｉ−６Ａｌ−４Ｖ）からなる鋳造部品である。鋳造されるこのヘッド本体１のクラウン面はその厚さが０．５〜１．５ｍｍ程度に設定されている。
【００１４】
ヘッド本体１は、図２にも示すように、フェイス側が開口しており、且つ、フェイス側の開口から連続してクラウン面３に広がる切り欠きが形成されている。切り欠きは、クラウン面３の幅方向（トウ側５ａ・ヒール側５ｃ方向）のおよそ中央付近において、クラウン面３の深さ方向（フェイス側・バック側５ｂ方向）に舌状に延びて形成されている。例えば、この実施形態では、切り欠きはフェイス側からバック側に至るに従ってやや幅狭になるように形成されている（図３参照）。
【００１５】
フェイス板２は、チタン材（例えば、４．５Ａｌ−３Ｖ−２Ｍｏ−２Ｆｅ）からなる鍛造圧延部品である。上述のヘッド本体１のフェイス側の開口に合致するフェイス面部分２ａとクラウン面３の切り欠きに合わせて形成される延伸部分２ｂとからなる。フェイス面部分２ａと延伸部分２ｂとは圧延成形されている。フェイス面部分２ａの厚さはフェイス面部分２ａの中央付近が最も厚肉化しており、最大肉厚が３ｍｍ程度で、周縁に向かうほど肉薄になり最小肉厚が２ｍｍ程度である。また、図４に示すように、延伸部分２ｂの肉厚はフェイス面部分２ａの肉厚より薄く設定されており１ｍｍ程度となっている。このようなフェイス板２がヘッド本体１に組み合わされた後に、溶接されて一体化してゴルフクラブヘットとなっている。
【００１６】
もっとも、延伸部分２ｂの形状は、図１に示すような形状に限定されるものではなく、バック側５ｂに至るほど幅太となるような形状や、フェイス側からバック側５ｂに至るまでその幅を統一化してもよい。また、延伸部分２ｂの肉厚も、バック側５ｂに至るほど徐々にその肉厚が薄くなるように形成してもよい。
このフェイス板２では、フェイス面部分２ａとゴルフクラブヘッドのクラウン面の一部を形成することになる延伸部分２ｂとが予め一体的に圧延成形されており、フェイス面部分２ａと延伸部分２ｂとの連続部分には溶接が施されていない。従って、フェイス面部分２ａの周縁に於いて溶接によって形成され得る溶接ビートが、少なくともこのフェイス面部分２ａと延伸部分２ｂとの連続部分には存在しないことになる。溶接ビードはフェイス面部分２ａのたわみ乃至反発に悪影響を及ぼすが、このような悪影響を最小に抑えられる。
【００１７】
また、フェイス面部分２ａと延伸部分２ｂとの連続部分を一体的に形成することで、曲げ部分の肉厚を可及的に抑えることができ、フェイス面部分２ａへのゴルフボールインパクト時の、左右方向中央付近でのフェイス面部分２ａのたわみが大きくなる。よって、ボールコントロール性に優れる。さらに、圧延鍛造されたフェイス面部分２ａにゴルフボールが衝突した際に、フェイス面部分２ａがたわむと共に、そのたわみに伴ってフェイス面部分２ａと一体的に圧延成形されている延伸部分２ｂも一体的にたわむ。従って、反発性能が大きく向上している。なお、上述の曲げ部分の肉厚を抑え得ることに伴い、ゴルフクラブヘッド全体の低重心化も実現可能となっている。
【００１８】
続いて、図５に於いて、このゴルフクラブヘッドの各部分の寸法等に言及する。一例として挙げるこのゴルフクラブヘットは、そのヘッド本体１のクラウン面３のフェイス面側の縁部の最大幅（Ｗ）を１００ｍｍ、フェイス面側のソール・クラウン方向への高さ（Ｈ）を５３ｍｍに設定している。また、ヘッド本体１のクラウン面３のフェイス面側の縁部の最大幅（Ｓ１）が９０ｍｍ、切り欠きのフェイス面との境界の幅（Ｓ２）が６０ｍｍに設定されている。従って、このゴルフクラブヘッドでは、比（Ｓ２／Ｓ１）が０．６６になっている。なお、切り欠きのフェイス面との境界の幅（Ｓ２）のヒール側は１０ｍｍ、トウ側は２０ｍｍに設定している。
【００１９】
また、ヘッド本体１のクラウン面３の最大深さ（Ｌ１）は９０ｍｍに、切り欠きの深さ（Ｌ２）は５０ｍｍに設定している。従って、このゴルフクラブヘッドでは、その比（Ｌ２／Ｌ１）が０．５５に設定されている。
さらに、ヘッド本体１のクラウン面３の最大幅（Ｐ１）は１１５ｍｍに、切り欠きの深さ方向中央付近の幅（Ｐ２）は４５ｍｍに設定している。従って、その比（Ｐ２／Ｐ１）が０．３９に設定されている。
【００２０】
次に、図６に於いて、第２実施形態にかかるゴルフクラブヘッドの各部分の寸法等に言及する。このゴルフクラブヘッドは、ヘッド本体１のクラウン面３の殆どに切り欠きを形成し、フェイス板２の延伸部分２ｂで凡そヘッド本体１のクラウン面３を覆うような例である。即ち、各比が最大値となるように設定した例である。
【００２１】
このゴルフクラブヘットは、ヘッド本体１のクラウン面３のフェイス面側の縁部の最大幅（Ｓ１）が９０ｍｍ、切り欠きのフェイス面との境界の幅（Ｓ２）が９０ｍｍ近くに設定されている。従って、このゴルフクラブヘッドでは、比（Ｓ２／Ｓ１）が凡そ１．０程度になっている。また、ヘッド本体１のクラウン面３の最大深さ（Ｌ１）は９０ｍｍに、切り欠きの深さ（Ｌ２）も凡そ９０ｍｍに設定している。従って、このゴルフクラブヘッドでは、その比（Ｌ２／Ｌ１）も１．０程度に設定されている。
【００２２】
さらに、ヘッド本体１のクラウン面３の最大幅（Ｐ１）は１１５ｍｍに、切り欠きの深さ方向中央付近の幅（Ｐ２）も１１５ｍｍ近くに設定している。従って、その比（Ｐ２／Ｐ１）が１．０程度に設定されている。
次に、図７に於いて、第３実施形態にかかるゴルフクラブヘッドの各部分の寸法等に言及する。
【００２３】
このゴルフクラブヘットは、ヘッド本体１のクラウン面３のフェイス面側の縁部の最大幅（Ｓ１）が９０ｍｍ、切り欠きのフェイス面との境界の幅（Ｓ２）が４０ｍｍに設定されている。従って、このゴルフクラブヘッドでは、比（Ｓ２／Ｓ１）が凡そ０．４４になっている。また、ヘッド本体１のクラウン面３の最大深さ（Ｌ１）は９０ｍｍに、切り欠きの深さ（Ｌ２）は６５ｍｍに設定している。従って、このゴルフクラブヘッドでは、その比（Ｌ２／Ｌ１）は０．７２程度に設定されている。さらに、ヘッド本体１のクラウン面３の最大幅（Ｐ１）は１１５ｍｍに、切り欠きの深さ方向中央付近の幅（Ｐ２）は３５ｍｍに設定している。従って、その比（Ｐ２／Ｐ１）が０．３０程度に設定されている。
【００２４】
さらに、図８に於いて、第４実施形態にかかるゴルフクラブヘッドの各部分の寸法等に言及する。
このゴルフクラブヘットは、ヘッド本体１のクラウン面３のフェイス面側の縁部の最大幅（Ｓ１）が９０ｍｍ、切り欠きのフェイス面との境界の幅（Ｓ２）ｍも９０ｍｍに設定されている。従って、このゴルフクラブヘッドでは、比（Ｓ２／Ｓ１）が凡そ１．０になっている。また、ヘッド本体１のクラウン面３の最大深さ（Ｌ１）は９０ｍｍに、切り欠きの深さ（Ｌ２）は２０ｍｍに設定している。従って、このゴルフクラブヘッドでは、その比（Ｌ２／Ｌ１）は０．２２程度に設定されている。さらに、ヘッド本体１のクラウン面３の最大幅（Ｐ１）は１１５ｍｍに、切り欠きの深さ方向中央付近の幅（Ｐ２）は９０ｍｍに設定している。従って、その比（Ｐ２／Ｐ１）が０．７８程度に設定されている。
【００２５】
図９に於いて、第５実施形態にかかるゴルフクラブヘッドの各部分の寸法などに言及する。
このゴルフクラブヘッドは、ヘッド本体１のクラウン面３の殆どに切り欠きを特殊な形状に形成した例である。即ち、ヘッド本体１のクラウン面３の殆どを切り欠きとした上で、ヘッド本体１のクラウン面３のフェイス面側の縁部において、クラウン面３の幅方向（トウ側５ａ・ヒール側５ｃ方向）の両側からそれぞれ幅方向中央に向かって庇状に延びる縁２０を形成している。
【００２６】
このゴルフクラブヘットは、ヘッド本体１のクラウン面３のフェイス面側の縁部の最大幅（Ｓ１）が９０ｍｍ、切り欠きのフェイス面との境界の幅（Ｓ２）が４０ｍｍに設定されている。従って、このゴルフクラブヘッドでは、比（Ｓ２／Ｓ１）が０．４４になっている。また、ヘッド本体１のクラウン面３の最大深さ（Ｌ１）は９０ｍｍに、切り欠きの深さ（Ｌ２）も９０ｍｍに設定している。従って、このゴルフクラブヘッドでは、その比（Ｌ２／Ｌ１）は凡そ１．０程度に設定されている。さらに、ヘッド本体１のクラウン面３の最大幅（Ｐ１）は１１５ｍｍに、切り欠きの深さ方向中央付近の幅（Ｐ２）も１１５ｍｍに設定している。従って、その比（Ｐ２／Ｐ１）は凡そ１．０程度に設定されている。
【００２７】
【発明の効果】
本発明によれば、ツーピース型のゴルフクラブヘットにおいて、フェイス板とヘッド本体との溶接によって生じる不都合を最小限度に抑えて、反発性能・ボールコントロールに優れたゴルフクラブヘッドを提供できる。
【図面の簡単な説明】
【図１】本発明の第１実施形態を採用したゴルフクラブヘッドを示した図。
【図２】図１のゴルフクラブヘッドの分解図。
【図３】図１のゴルフクラブヘッドをクラウン側から見た図。
【図４】図１のゴルフクラブヘッドのフェイス板２の断面図。
【図５】図１のゴルフクラブヘッドの各寸法を示すための図。
【図６】第２実施形態を採用したゴルフクラブヘッドの図５に相当する図。
【図７】第３実施形態を採用したゴルフクラブヘッドの図５に相当する図。
【図８】第４実施形態を採用したゴルフクラブヘッドの図５に相当する図。
【図９】第５実施形態を採用したゴルフクラブヘッドの図５に相当する図。
【符号の説明】
１  ヘッド本体
２  フェイス板
２ａ  フェイス面部分
２ｂ  延伸部分
【図１】
2004357978.tif 000003
【図２】
2004357978.tif 000004
【図３】
2004357978.tif 000005
【図４】
2004357978.tif 000006
【図５】
2004357978.tif 000007
【図６】
2004357978.tif 000008
【図７】
2004357978.tif 000009
【図８】
2004357978.tif 000010
【図９】
2004357978.tif 000011